(57)【要約】【課題】２つの各タッチパネルを、２人のユーザがそれぞれ用いて、アプリケーションに対する操作を行わせること。【解決手段】中央処理装置１と、第１のタッチパネルと、第１のタッチパネルに対して並べて設けられた第２のタッチパネルとを備え、中央処理装置１は、第１のタッチパネルを介して成された入力操作を受け付ける第１の入力操作受付部１１１と、第２のタッチパネルを介して成された入力操作を受け付ける第２の入力操作受付部１１２と、第１の入力操作受付部１１１、及び第２の入力操作受付部１１２のうち、少なくとも一方が入力操作を受け付けた場合に、当該入力操作に基づいて成された処理結果を示す画面表示を、第１のタッチパネル、及び第２のタッチパネルの双方に出力する画面表示出力部１１３とを有する。【選択図】図２
2014096028.tif 000002
【特許請求の範囲】
【請求項１】
中央処理装置と、
第１のタッチパネルと、
前記第１のタッチパネルに対して並べて設けられた第２のタッチパネルと
を備え、
前記中央処理装置は、
前記第１のタッチパネルを介して成された入力操作を受け付ける第１の入力操作受付部と、
前記第２のタッチパネルを介して成された入力操作を受け付ける第２の入力操作受付部と、
前記第１の入力操作受付部、及び前記第２の入力操作受付部のうち、少なくとも一方が入力操作を受け付けた場合に、当該入力操作に基づいて成された処理結果を示す画面表示を、前記第１のタッチパネル、及び前記第２のタッチパネルの双方に出力する画面表示出力部と
を有する情報処理装置。
【請求項２】
前記画面表示出力部は、前記第１のタッチパネル、及び前記第２のタッチパネルを、一の表示領域として、当該表示領域に対する画面表示を出力する
請求項１に記載の情報処理装置。
【請求項３】
前記画面表示出力部は、前記第１のタッチパネル、及び前記第２のタッチパネルを、それぞれ別の表示領域として、当該各表示領域に対する画面表示を出力する
請求項１に記載の情報処理装置。
【請求項４】
第１のタッチパネルを介して成された入力操作を受け付ける第１の入力操作受付段階と、
前記第１のタッチパネルに対して並べて設けられた第２のタッチパネルを介して成された入力操作を受け付ける第２の入力操作受付段階と、
前記第１の入力操作受付段階、及び前記第２の入力操作受付段階のうち、少なくとも一方の段階において入力操作が受け付けられた場合に、当該入力操作に基づいて成された処理結果を示す画面表示を、前記第１のタッチパネル、及び前記第２のタッチパネルの双方に出力する画面表示出力段階と
を備える画面表示方法。
【請求項５】
コンピュータを、
第１のタッチパネルを介して成された入力操作を受け付ける第１の入力操作受付部、
前記第１のタッチパネルに対して並べて設けられた第２のタッチパネルを介して成された入力操作を受け付ける第２の入力操作受付部、
前記第１の入力操作受付部、及び前記第２の入力操作受付部のうち、少なくとも一方が入力操作を受け付けた場合に、当該入力操作に基づいて成された処理結果を示す画面表示を、前記第１のタッチパネル、及び前記第２のタッチパネルの双方に出力する画面表示出力部
として機能させるプログラム。
【請求項６】
コンピュータを、
第１のタッチパネルを介して成された入力操作を受け付ける第１の入力操作受付部、
前記第１のタッチパネルに対して並べて設けられた第２のタッチパネルを介して成された入力操作を受け付ける第２の入力操作受付部、
前記第１の入力操作受付部、及び前記第２の入力操作受付部のうち、少なくとも一方が入力操作を受け付けた場合に、当該入力操作に基づいて成された処理結果を示す画面表示を、前記第１のタッチパネル、及び前記第２のタッチパネルの双方に出力する画面表示出力部
として機能させるプログラムを記録した記録媒体。
【発明の詳細な説明】
【技術分野】
【０００１】
本発明は、情報処理装置、画面表示方法、プログラム、及び記録媒体に関する。
【背景技術】
【０００２】
最近は、新しい情報機器の普及が進んでいる。その一つは、タブレット端末である。タッチパネルを用いた独特の入力方式と形態の便利さを備えたこれらの機器は、最近、急激に普及している。
【０００３】
このような背景に関連する技術としては、様々なものが知られている（例えば、特許文献１参照。）。
【０００４】
例えば、特許文献１には、複数画面に渡る操作の操作性を改善する情報処理装置が開示されている。具体的には、実施形態の情報処理装置では、検出部は、第１タッチパネル部及び第２タッチパネル部に対する操作を検出する。判定部は、第１表示部に表示された表示画面の領域を選択するための第１タッチパネル部に対する選択操作が検出された場合に、選択領域に含まれるオブジェクトの種類を判定する。生成部は、種類に応じてオブジェクトを開くために起動すべきアプリケーションの候補を有するアプリケーションリストを生成する。表示制御部は、選択領域を第２表示部へ送るための第１タッチパネル部に対する送り操作が検出されたことに基づいて、アプリケーションリストを第２表示部へ表示する。アプリ制御部は、アプリケーションリストに含まれるいずれかのアプリケーションを選択するための第２タッチパネル部に対する選択操作が検出された場合に、選択されたアプリケーションを起動してオブジェクトを開く。
【先行技術文献】
【特許文献】
【０００５】
【特許文献１】特開２０１２−００３５０８号公報
【発明の概要】
【発明が解決しようとする課題】
【０００６】
特許文献１に記載の技術は、各タッチパネルを介して成される入力操作を、同時に処理することができない。したがって、特許文献２に記載の技術は、２つの各タッチパネルを、２人のユーザがそれぞれ用いて、アプリケーションに対する操作を行うことができない。
【０００７】
本発明の目的は、上述した課題を解決する情報処理装置、画面表示方法、プログラム、及び記録媒体を提供することにある。
【課題を解決するための手段】
【０００８】
上記課題を解決するために、本発明の第１の形態は、情報処理装置である。この形態は、中央処理装置を備える。また、この形態は、第１のタッチパネルを備える。また、この形態は、第１のタッチパネルに対して並べて設けられた第２のタッチパネルを備える。そして、中央処理装置は、第１のタッチパネルを介して成された入力操作を受け付ける第１の入力操作受付部を有する。また、中央処理装置は、第２のタッチパネルを介して成された入力操作を受け付ける第２の入力操作受付部を備える。また、中央処理装置は、第１の入力操作受付部、及び第２の入力操作受付部のうち、少なくとも一方が入力操作を受け付けた場合に、当該入力操作に基づいて成された処理結果を示す画面表示を、第１のタッチパネル、及び第２のタッチパネルの双方に出力する画面表示出力部を有する。
【０００９】
本発明の第２の形態は、画面表示方法である。この形態は、第１のタッチパネルを介して成された入力操作を受け付ける第１の入力操作受付段階を備える。また、この形態は、第１のタッチパネルに対して並べて設けられた第２のタッチパネルを介して成された入力操作を受け付ける第２の入力操作受付段階を備える。また、この形態は、第１の入力操作受付段階、及び第２の入力操作受付段階のうち、少なくとも一方の段階において入力操作が受け付けられた場合に、当該入力操作に基づいて成された処理結果を示す画面表示を、第１のタッチパネル、及び第２のタッチパネルの双方に出力する画面表示出力段階を備える。
【００１０】
本発明の第３の形態は、プログラムである。この形態は、コンピュータを、第１のタッチパネルを介して成された入力操作を受け付ける第１の入力操作受付部として機能させる。また、この形態は、コンピュータを、第１のタッチパネルに対して並べて設けられた第２のタッチパネルを介して成された入力操作を受け付ける第２の入力操作受付部として機能させる。また、この形態は、コンピュータを、第１の入力操作受付部、及び第２の入力操作受付部のうち、少なくとも一方が入力操作を受け付けた場合に、当該入力操作に基づいて成された処理結果を示す画面表示を、第１のタッチパネル、及び第２のタッチパネルの双方に出力する画面表示出力部として機能させる。
【００１１】
本発明の第４の形態は、記録媒体である。この形態は、コンピュータを、第１のタッチパネルを介して成された入力操作を受け付ける第１の入力操作受付部として機能させるプログラムを記録した。また、この形態は、コンピュータを、第１のタッチパネルに対して並べて設けられた第２のタッチパネルを介して成された入力操作を受け付ける第２の入力操作受付部として機能させるプログラムを記録した。また、この形態は、コンピュータを、第１の入力操作受付部、及び第２の入力操作受付部のうち、少なくとも一方が入力操作を受け付けた場合に、当該入力操作に基づいて成された処理結果を示す画面表示を、第１のタッチパネル、及び第２のタッチパネルの双方に出力する画面表示出力部として機能させるプログラムを記録した。
【００１２】
なおまた、上記の発明の概要は、本発明の必要な特徴の全てを列挙したものではない。また、これらの特徴群のサブコンビネーションもまた、発明となり得る。
【発明の効果】
【００１３】
以上の説明から明らかなように、この発明は、２つの各タッチパネルを、２人のユーザがそれぞれ用いて、アプリケーションに対する操作を行わせることができる。
【図面の簡単な説明】
【００１４】
【図１】第１の実施形態に係るタブレット端末１００の構成の一例を示す図である。
【図２】タブレット端末１００の中央処理装置１１０のブロック構成の一例を示す図である。
【図３】タブレット端末１００の一使用例を示す説明図である。
【図４】タブレット端末１００の他の一使用例を示す説明図である。
【図５】他の実施形態に係るタブレット端末２００の構成の一例を示す図である。
【発明を実施するための形態】
【００１５】
以下、発明の実施の形態を通じて本発明を説明するが、以下の実施形態は特許請求の範囲にかかる発明を限定するものではなく、また、実施形態の中で説明されている特徴の組み合わせの全てが発明の解決手段に必須であるとは限らない。
【００１６】
図１は、第１の実施形態に係るタブレット端末１００の構成の一例を示す。タブレット端末１００は、例えば、スマートフォンと共通のＯＳ（Ｏｐｅｒａｔｉｎｇ  Ｓｙｓｔｅｍ）やアプリケーションソフトを使用する端末である。なおまた、タブレット端末１００は、この発明における「情報処理装置」の一例であってよい。
【００１７】
タブレット端末１００は、タッチパネル１３０、及びタッチパネル１５０を備える。
【００１８】
タッチパネル１３０、タッチパネル１５０は、各々タブレット端末１００の表示画面であり、それぞれマルチタッチ検出可能なタッチパネルとする。なお、図１では、タッチパネル１３０側とタッチパネル１５０側とで、２人のユーザが、上記各々の画面を操作することを想定している。
【００１９】
このように、２人のユーザが対面式でタブレット端末１００の表示画面を使用可能とすることで、タブレット端末１００では、ユーザが使用するアプリケーションの幅が広がり、ユーザに携帯端末の新しい楽しみ方を提供することができる。即ち、タブレット端末１００は、２人のユーザが対面してタブレット端末１００を操作できることを意図して構成されている。
【００２０】
図２は、タブレット端末１００の中央処理装置１１０のブロック構成の一例を示す。中央処理装置１１０は、第１の入力操作受付部１１１、第２の入力操作受付部１１２、及び画面表示出力部１１３を有する。以下の説明においては、各構成要素の機能、及び動作を詳述する。
【００２１】
第１の入力操作受付部１１１は、タッチパネル１３０を介して成された入力操作を受け付ける。
【００２２】
第２の入力操作受付部１１２は、タッチパネル１５０を介して成された入力操作を受け付ける。
【００２３】
画面表示出力部１１３は、第１の入力操作受付部１１１、及び第２の入力操作受付部１１２のうち、少なくとも一方が入力操作を受け付けた場合に、その入力操作に基づいて成された処理結果を示す画面表示を、タッチパネル１３０、及びタッチパネル１５０の双方に出力する。
【００２４】
図３は、タブレット端末１００の一使用例を示す説明図である。同図に示すように、タブレット端末１００は、例えば、タッチパネル１３０とタッチパネル１５０の両画面を使用して、２人のユーザにとって共通のフィールドを表示する。この共通フィールドに対して、タッチパネル１３０側で操作するユーザは、タッチキー１０３，１０３’を操作する。また、タブレット端末１００では、タッチパネル１５０側で操作するユーザは、タッチキー１０４，１０４’を操作する。これにより、２人のユーザは、１つの共通の画面フィールドに表示された共通の内容の情報を参照して、対面で操作することができる。タブレット端末１００の、このような使用形態は、例えば、携帯型のゲーム機として、ゲームの実行に好適である。また、このような使用形態により、タブレット端末１００は、複数のユーザ間の対話の補助ツールとしても好適に使用できる。
【００２５】
図４は、タブレット端末１００の他の一使用例を示す説明図である。同図に示すように、タブレット端末１００は、例えば、タッチパネル１３０とタッチパネル１５０の両画面で、それぞれ各ユーザ向けの情報を表示する。この両画面に対して、タッチパネル１３０側で操作するユーザは、上記と同様に、タッチキー１０３，１０３’を操作する。また、タブレット端末１００では、タッチパネル１５０側で操作するユーザは、上記と同様に、タッチキー１０４，１０４’を操作する。これにより、２人のユーザは、それぞれ各ユーザ向けの情報が表示された画面フィールドを参照して、対面で操作することができる。タブレット端末１００の、このような使用形態も、例えば、携帯型のゲーム機として、ゲームの実行に好適である。また、このような使用形態により、タブレット端末１００は、複数のユーザ間の対話の補助ツールとしても好適に使用できる。
【００２６】
以下、発明の他の実施の形態を説明する。図５は、他の実施の形態に係るタブレット端末２００の構成の一例を示す。タブレット端末２００は、境界部５０１にヒンジを用いるものとする。このように構成することで、見開き可能なブックレット型の携帯端末装置として構成することが可能である。
【符号の説明】
【００２７】
１  中央処理装置
１００  タブレット端末
１０３  タッチキー
１０３’  タッチキー
１０４  タッチキー
１０４’  タッチキー
１１１  第１の入力操作受付部
１１２  第２の入力操作受付部
１１３  画面表示出力部
１３０  タッチパネル
１５０  タッチパネル
２００  タブレット端末
【図１】
2014096028.tif 000003
【図２】
2014096028.tif 000004
【図３】
2014096028.tif 000005
【図４】
2014096028.tif 000006
【図５】
2014096028.tif 000007